(57)【要約】【課題】  本発明の目的は、自装置の画面の表示向きが変わった場合に、外部表示装置に対しこの表示向きの変更に連動した表示出力信号を出力することができる情報処理装置を提供することである。【解決手段】  本体に対して回転可能な表示部と、外部表示装置に映像を出力する外部出力端子と、前記外部表示装置の画面が回転しない場合、前記外部出力端子から出力される映像が、前記表示部に表示される映像と同じ表示向きになるように制御する制御手段（Ｓ１５０、Ｓ１６０）とを有する情報処理装置。【選択図】  図４
2005242074.tif 000002
【特許請求の範囲】
【請求項１】
本体に対して回転可能な表示部と、
外部表示装置に映像を出力する外部出力端子と、
前記外部表示装置の画面が回転しない場合、前記外部出力端子から出力される映像が、前記表示部に表示される映像と同じ表示向きになるように制御する制御手段とを有する情報処理装置。
【請求項２】
前記制御手段は、前記外部表示装置に対して、前記表示部に表示される映像と同一の表示向き及びアスペクト比の映像を仮想画面を用いて拡大表示させるように制御することを特徴とする請求項１記載の情報処理装置。
【請求項３】
前記制御手段は、前記外部表示装置に対して前記表示部に表示される映像と同一の表示向き及びアスペクト比の映像を縮小表示させるように制御することを特徴とする請求項１記載の情報処理装置。
【請求項４】
前記制御手段は、前記外部表示装置に対して前記表示部に表示される映像と同一の表示向きの映像を表示させるように制御することを特徴とする請求項１記載の情報処理装置。
【請求項５】
前記表示部の回転を検知するセンサをさらに有し、
前記センサが前記表示部の回転を検知した時に、前記制御手段は制御を実行することを特徴とする請求項１記載の情報処理装置。
【発明の詳細な説明】
【技術分野】
【０００１】
本発明は、表示部を有する情報処理装置に関し、特に、自装置の表示部と、外部表示装置との連動を行う情報処理装置に関する。
【背景技術】
【０００２】
ノート型のＰＣ(Personal Computer)等の情報処理装置は、表示部（LCD(Liquid Crystal Display)等）を有し、また、外部表示装置（ＣＲＴディスプレイ等）に映像信号を出力する出力端子を備えている。ここでは、情報処理装置が、自装置の表示部と、外部表示装置とに同じ映像（アスペクト比も同じ）を表示する連動モードであることを前提とする。なお、いわゆるマルチモニタは、自装置の表示部と外部表示装置に違う映像（例えば、ワープロ画面とDVD画面）を出力するものである点に留意していただたい。
【０００３】
また、ノートＰＣである情報処理装置がタブレットＰＣである場合、タブレットＰＣの表示部が回転し、キーボード等の入力部を覆う形状になる。このような形状にすると、表示部は横長に置くことも、９０°回転して縦長に置くこともできる。そして、縦長に置いたときには、画面も縦長になる。しかし、外部表示装置の表示部の方は固定であり、縦長に置けないので、連動モードの場合、画面は横長のままである。このままでは、情報処理装置の表示部と外部表示装置との表示向きが異なるため、プレゼンテーションなどでの使い勝手が悪く、ユーザにとって見にくくなってしまう。
【０００４】
一方、従来の画像出力装置では、２つの外部表示装置に対して信号属性が異なる２つの画面信号を出力し、これら画面信号の切換え処理を行っている（例えば特許文献１参照）。
【特許文献１】特開２００２−３１４８４９号公報（第３〜７頁、図１，２）
【発明の開示】
【発明が解決しようとする課題】
【０００５】
しかし、上述した画像出力装置では、自装置の画面が回転し、表示向きが変わった場合に、同じ表示向きの映像信号を外部表示装置に対して出力していない。
【０００６】
本発明の目的は、自装置の画面の表示向きが変わった場合に、外部表示装置に対しこの表示向きの変更に連動した表示出力信号を出力することができる情報処理装置を提供することである。
【課題を解決するための手段】
【０００７】
第１の発明は、本体に対して回転可能な表示部と、外部表示装置に映像を出力する外部出力端子と、前記外部表示装置の画面が回転しない場合、前記外部出力端子から出力される映像が、前記表示部に表示される映像と同じ表示向きになるように制御する制御手段とを有する情報処理装置である。
【０００８】
第２の発明は、前記制御手段は、前記外部表示装置に対して、前記表示部に表示される映像と同一の表示向き及びアスペクト比の映像を仮想画面を用いて拡大表示させるように制御することを特徴とする第１の発明記載の情報処理装置である。
【０００９】
第３の発明は、前記制御手段は、前記外部表示装置に対して前記表示部に表示される映像と同一の表示向き及びアスペクト比の映像を縮小表示させるように制御することを特徴とする第１の発明記載の情報処理装置である。
【００１０】
第４の発明は、前記制御手段は、前記外部表示装置に対して前記表示部に表示される映像と同一の表示向きの映像を表示させるように制御することを特徴とする第１の発明記載の情報処理装置である。
【００１１】
第５の発明は、前記表示部の回転を検知するセンサをさらに有し、前記センサが前記表示部の回転を検知した時に、前記制御手段は制御を実行することを特徴とする第１の発明記載の情報処理装置である。
【発明の効果】
【００１２】
本発明によれば、自装置の画面の表示向きが変わった場合に、外部表示装置に対しこの表示向きの変更に連動した表示出力信号を出力することができる情報処理装置を提供することができる。
【発明を実施するための最良の形態】
【００１３】
以下、本発明の実施の形態について図面を参照しながら説明する。
【００１４】
図１は、本発明の実施形態に係る情報処理装置と外部表示装置との全体概略図である。情報処理装置１００は、キーボードやタッチパッド等の入力部１１０を有する本体１２０と、横長画面の表示部１３０とから構成されている。本体１２０に対して表示部１３０が開閉動作可能な回転ヒンジ部１４０を有している。本体１２０の側面には外部出力端子１５０が設けられ、表示部１３０の映像と連動した映像信号（映像が同じ、かつ、アスペクト比（縦横比）も同じ）が横長の固定画面の外部表示装置３００に出力される（同図（ａ））。以下では、情報処理装置１００の表示部１３０をプライマリ表示装置といい、外部表示装置３００をセカンダリ表示装置という。
【００１５】
回転ヒンジ部１４０は、プライマリ表示装置１３０の画面を隠すように開閉動作するだけでなく、回転機構を有するので、プライマリ表示装置１３０を１８０°回転させて外側に折りたたむことによって、プライマリ表示装置１３０の横長画面を露出するように開閉動作することができる（同図（ｂ））。ここで、情報処理装置１００が、同図（ａ）のように通常のノート型パソコンの状態をラップトップモード、同図（ｂ）のように表示部１３０を回転してたたんだ状態をタブレットモードという。タブレットモードでは付属のタブレットペンで操作することができる。
【００１６】
また、本体１２０の中には後述する加速度センサ１６０があり、プライマリ表示装置１３０を９０°回転させて縦長の画面にすると、表示映像もこの回転に合わせて縦長の映像になる。
【００１７】
ここで、従来と同様のプライマリ表示装置１３０に連動した映像信号がセカンダリ表示装置３００に送られてきた場合を想定する。セカンダリ表示装置３００は横長の固定画面であり、かつ、プライマリ表示装置１３０に連動した（アスペクト比が同じ）映像信号が送られてくるため、プライマリ表示装置１３０の縦長の映像を連動して表示するためには、横長の固定画面に９０°左回転させた横長の映像を表示しなければならなかった（同図（ｃ））。
【００１８】
しかし、プライマリ表示装置１３０とセカンダリ表示装置３００との表示向きが異なるため、プレゼンテーションなどでの使い勝手が悪く、ユーザにとって見にくくなってしまうという問題点がある。
【００１９】
そこで、本実施形態では、アスペクト比の連動を優先するのではなく、表示向きの連動を優先するモードを情報処理装置１００にもたせることにする。
【００２０】
なお、同図（ｄ）は、セカンダリ表示装置３００が回転可能な場合は、セカンダリ表示装置３００を縦長画面に回転させることによって、プライマリ表示装置１３０とセカンダリ表示装置３００との表示向きを同じにすることができる。
【００２１】
図２は、本実施形態に係るセカンダリ表示装置３００の表示画面を説明するための図である。プライマリ表示装置１３０が図１（ｂ）から（ｃ）のように横長画面から縦長画面に表示向きが変わった場合、以下の表示向きの連動表示モードを優先させて表示させる。
【００２２】
第１の表示向きの連動表示モードは、プライマリ表示装置１３０の表示向き及びアスペクト比を変えずに仮想画面を使って拡大表示させる（図２（ａ））。ここで、点線表示している部分はユーザからは実際には見えず、タッチパッドなどでカーソル移動することによって初めて見えるようになる。
【００２３】
第２の表示向きの連動表示モードは、プライマリ表示装置１３０の表示向き及びアスペクト比を変えずに縮小表示させるモードである（同図（ｂ））。したがって、プライマリ表示装置１３０の左右側部（図中の斜線部）には空白表示になる。
【００２４】
第３の表示向きの連動表示モードは、プライマリ表示装置１３０と表示向きは同じであるが、アスペクト比はセカンダリ表示装置３００に合わせて変更させるモードである（同図（ｃ））。
【００２５】
図３は本実施形態に係る情報処理装置の概略ブロック図であり、図４は本実施形態に係る情報処理装置のフローチャートである。上述したプライマリ表示の変更に応じた映像信号の出力を制御するプログラムは、ＨＤＤ(Hard Disk Drive)１９０に格納されており、ＯＳ(Operating System)が起動すると、ＲＡＭ(Random Access Memory)１８０に読み込まれ、ＣＰＵ(Central Processing Unit)１７０で実行される。
【００２６】
まず、回転ヒンジ部１４０によって、プライマリ表示装置１３０を１８０°回転させて外側に折りたたみ、本体を傾かせ、画面の縦／横のどちらかが下になっているかを加速度センサ１６０が検出し、画面の向きを変える（Ｓ１１０）。ここでは、画面が横長（図１（ｂ））から縦長（図１（ｃ））に変わった場合について検討する。
【００２７】
次に、画面上に現れるソフトウェアボタン（連動設定ボタン）によって、セカンダリ表示装置３００の方を、プライマリ表示装置１３０の映像と同じ向きに連動させるかどうかの問合せをする（Ｓ１２０）。
【００２８】
ユーザが連動スイッチをオフにしたままだと、プライマリの映像を外部出力端子１５０からそのまま出力され、図１（ｃ）のように、プライマリ表示装置１３０では縦向きの映像が、セカンダリ表示装置３００では横向きの映像として表示される（Ｓ１３０）。
【００２９】
一方、連動スイッチがオンの場合、本プログラムはセカンダリ表示装置３００が回転可能かを予めユーザによって設定されているため、セカンダリ表示装置３００の画面が回転可能な場合（Ｓ１４０のＹｅｓ）、プライマリの映像をそのまま出力する（Ｓ１３０）。この場合、プライマリ表示装置１３０及びセカンダリ表示装置３００共に縦長の画面に回転しているので、表示向きの連動した表示が可能となる（図１（ｄ）参照）。
【００３０】
しかし、セカンダリ表示装置３００が固定のため、回転できない場合（Ｓ１４０のＮｏ）、上述した「表示向きの連動表示モード」選択スイッチがソフトウェアボタンとして画面上に現れる。上述した３つのモードから１つを選択する（Ｓ１５０）。すると、プライマリの映像が選択されたモードに変換されて出力される（Ｓ１６０）。
【００３１】
このような「表示向きの連動表示モード」をユーザに選択させ、プライマリ表示装置１３０の表示向きの変更に連動した表示出力信号がセカンダリ表示装置３００に出力される。したがって、ユーザはセカンダリ表示装置３００の画面が固定であっても、プライマリ表示装置１３０とセカンダリ表示装置３００共に同じ表示向きの映像を見ることができる。
【００３２】
上述した実施の形態は、本発明の好適な具体例であるから、技術的に好ましい種々の限定が付されているが、本発明の趣旨を逸脱しない範囲であれば、適宜組合わせ及び変更することができることはいうまでもない。
【図面の簡単な説明】
【００３３】
【図１】本発明の実施形態に係る情報処理装置と外部表示装置との全体概略図。
【図２】本実施形態に係る外部表示装置の表示画面を説明するための図。
【図３】本実施形態に係る情報処理装置の概略ブロック図。
【図４】本実施形態に係る情報処理装置のフローチャート。
【符号の説明】
【００３４】
１００  情報処理装置
１１０  入力部
１２０  本体
１３０  表示部（プライマリ表示装置）
１４０  回転ヒンジ部
１５０  外部出力端子
１６０  加速度センサ
１７０  ＣＰＵ
１８０  ＲＡＭ
１９０  ＨＤＤ
３００  外部表示装置（セカンダリ表示装置）
【図１】
2005242074.tif 000003
【図２】
2005242074.tif 000004
【図３】
2005242074.tif 000005
【図４】
2005242074.tif 000006